(57)【要約】【課題】      開閉する蓋体等に着脱可能で、傾けると自動的に点灯すると共に消灯状態を維持することも可能な角度センサ−付ライトを提供することである。【解決手段】  角度センサ−付ライト１はライト本体２に光源透過部３が螺合で結合され、ライト本体２に吸盤部を有する止着具４が回動可能に連結されている。  ライト本体２の中に後部基板１０と角度センサ−５を設けて電極６と電極７で接続し、光源透過部３の中に前側基板１２と例えばＬＥＤからなる光源１１を設けて電極８と電極９で接続し、ライト本体２と光源透過部３の螺合が図２のように解かれて電極６の端６ａと電極８の端８ａの接触が分離されると角度センサ−５が電気的に閉じていても光源１１に電気が流れない。【選択図】        図３
2009238432.tif 000002
【特許請求の範囲】
【請求項１】
ライト本体に止着具を設け、ライト本体内に光源の電気回路を開閉する角度センサ−を設けたことを特徴とする角度センサ−付ライト。
【請求項２】
角度センサ−は、ケ−スと前記ケ−ス内に配した電極と前記ケ−ス内に移動可能に収納した導電性を有する材料からなる移動体からなることを特徴とする請求項１記載の角度センサ−付ライト。
【発明の詳細な説明】
【技術分野】
【０００１】
本発明は、他の物体に止着出来る角度センサ−付ライトに関する。
【背景技術】
【０００２】
従来特許文献１のように餌箱において、開閉自在の蓋に装着した加圧釦により蓋を閉めれば受圧発条を圧して自動的に消灯し、蓋を開ければ自動的に点灯する装置がある。
しかし、この装置は餌箱内に設けられているので、他の物体に取り付けて使用することが出来ない。
更に明るい場所で餌箱を使用してライトが不用の時には電池を取り外さなければ消灯することが出来ない。
【特許文献１】実開昭４８−４１７８９号公報
【発明の開示】
【発明が解決しようとする課題】
【０００３】
解決しようとする問題点は、餌箱内に設けられているので、他の物体に取り付けて使用することが出来ない不便がある。
更に明るい場所で餌箱を使用してライトが不用の時には電池を取り外さなければ消灯することが出来ない不便がある。
【０００４】
本発明の目的は前記欠点に鑑み、他の物体に着脱可能で、傾けると自動的に点灯すると共に消灯状態を維持することも可能な角度センサ−付ライトを提供することである。
【課題を解決するための手段】
【０００５】
本発明の請求項１は、ライト本体に止着具を設け、ライト本体内に光源の電気回路を開閉する角度センサ−を設けたことを要旨とするものである。
本発明の請求項２は、角度センサ−は、ケ−スと前記ケ−ス内に配した電極と前記ケ−ス内に移動可能に収納した導電性を有する材料からなる移動体からなることを要旨とするものである。
【発明の効果】
【０００６】
本発明の請求項により、他の物体に角度センサ−付ライトを止着具で止着可能で、角度センサ−付ライトを傾けると角度センサ−で自動的に点灯すると共に消灯状態を維持することも可能で、釣り場で夜間餌付けなどの作業が容易になる。
【発明を実施するための最良の形態】
【０００７】
角度センサ−付ライト１はライト本体２に光源透過部３が螺合で結合され、ライト本体２に吸盤部を有する止着具４が回動可能に連結されている。
ライト本体２の中に後部基板１０と角度センサ−５を設けて電極６と電極７で接続し、光源透過部３の中に前側基板１２と例えばＬＥＤからなる光源１１を設けて電極８と電極９で接続している。
ライト本体２と光源透過部３の螺合が図１のように完全に一体化出来た時は電極６の端６ａと電極８の端８ａが接触し、角度センサ−５が電気的に閉じていると光源１１にボタン電池１３、１３の電気が流れる電気回路が構成される。
ライト本体２と光源透過部３の螺合が図２のように解かれて電極６の端６ａと電極８の端８ａの接触が分離されると角度センサ−５が電気的に閉じていても光源１１に電気が流れない。
【実施例１】
【０００８】
以下、図示の一実施例によって本発明を説明すると、図１は角度センサ−付ライトの断面側面図、図２は角度センサ−付ライトの光源透過部をライト本体から前進させて電気回路を遮断した断面側面図、図３はライト本体から光源透過部を分離した断面側面図、図４は保冷箱の開閉する蓋体に角度センサ−付ライトを取り付けて蓋体を閉じた保冷箱の断面側面図、図５は図４の状態の角度センサ−付ライトの拡大断面側面図、図６は保冷箱の開閉する蓋体に角度センサ−付ライトを取り付けて蓋体を開いた保冷箱の断面側面図、図７は図６の状態の角度センサ−付ライトの拡大断面側面図である。
【０００９】
角度センサ−付ライト１はライト本体２に光源透過部３が螺合で結合され、ライト本体２に吸盤部を有する止着具４が互いに支持する角度を変更できるように回動可能に連結されている。
ライト本体２内には角度センサ−５と後部基板１０が設けられている。
光源透過部３内には例えばＬＥＤからなる光源１１と前側基板１２とボタン電池１３、１３が設けられている。
【００１０】
ライト本体２は合成樹脂でカップ状に形成されて開口内周にネジ部２ａが形成されてネジ部２ａの後方に２段の段部２ｂ、２ｃで中心に向かう小径内周部２ｄが形成されている。
ライト本体２の図１、図２、図３で下側には電極６が設けられて段部２ｂで電極６の端６ａが下方に折曲されている。
電極６の他側６ｂは角度センサ−５の一方の電極１４に接続されている。
段部２ｃの内側には後部基板１０の外周が嵌められている。
後部基板１０には複数脚の電極７が設けられて複数脚の電極７はボタン電池１３の＋極に接触されている。
電極７の他側７ａは角度センサ−５の他方の電極１５に接続されている。
角度センサ−５は一方の電極１４と他方の電極１５と導電性材料の移動体（球体）の鋼球１６からなり、角度センサ−５のケ−ス５ａ内の収納空間５ｂに鋼球１６を移動可能に収納し、一方の電極１４と他方の電極１５の先端は夫々外側に開いて鋼球１６を受けるように形成され、鋼球１６は角度センサ−５のケ−ス５ａ内で移動が自由に構成されている。
鋼球１６は角度センサ−５の傾きによって移動し、電極１４と電極１５に同時に接すると回路が閉じて、電極１４、電極１５から離れると回路が開く。
【００１１】
ライト本体２の後部の保持部２ｅに止着具４の回動部４ａが連結軸１７で回動自在に保持されている。
保持部２ｅ位置のライト本体２の後部にはクリック用の歯部２ｆが形成され保持部２ｅとライト本体２が互いに節度をもって回動し適度位置で係合して互いの角度を調節し、角度維持できるようになっている。
止着具４は天然ゴムや合成ゴムで回動部４ａと吸盤部４ｂが一体に形成されている。
回動部４ａ外周にはクリック用の歯部４ｃが形成されている。
吸盤部４ｂの中の中心に凹部が形成されて凹部内にマグネット１８が収納されている。
吸盤部４ｂで物体に吸着して取り付けできることに加え、取り付ける物体が磁性体であればマグネット１８によって磁力で取り付けることができる。
【００１２】
光源透過部３は透明の合成樹脂でカップ状に形成されている。
光源透過部３の前端は集光レンズ部３ａに形成されている。
光源透過部３の筒部３ｂの外周には前後の中程に外向きに鍔部３ｃが形成され、鍔部３ｃより後方の外周にネジ部３ｄが形成されている。
光源透過部３の筒部３ｂの内側中程には中心に向かう突出部３ｅが形成されて突出部３ｅの後方に段部３ｆで内周部３ｇが形成されている。
内周部３ｇの図１、図２、図３で下側には前後方向の溝３ｈが形成されている。
光源透過部３の後端には段部３ｉが形成されている。
段部３ｉには溝３ｈに嵌めた電極８の端８ａが下方に折曲されている。
電極８の他側８ｂは前側基板１２に沿って光源１１に接続されている。
前側基板１２の裏面には他の電極９が設けられてボタン電池１３の−極に接触され、電極９の他側９ａは光源１１に接続されている。
【００１３】
角度センサ−付ライト１はライト本体２の中に後部基板１０と角度センサ−５を設けて電極６と電極７で接続し、光源透過部３の中に前側基板１２と光源１１を設けて電極８と電極９で接続している。
ライト本体２と光源透過部３の螺合が図１のように完全に一体化出来た時は電極６の端６ａと電極８の端８ａが接触し、角度センサ−５が電気的に閉じていると光源１１にボタン電池１３、１３の電気が流れる電気回路が構成される。
ライト本体２と光源透過部３の螺合が図２のように解かれて電極６の端６ａと電極８の端８ａの接触が分離されると角度センサ−５が電気的に閉じていても光源１１に電気が流れない。
【００１４】
角度センサ−付ライト１が使用される時は図４から図７のように、保冷箱１９の蓋体２０等の物体に止着具４の吸盤部４ｂを押し付けて吸盤部４ｂの中の空気を排除して取り付けられる。
この時蓋体２０が閉じられていると、図４、図５のように角度センサ−５のケ−ス５ａ内の鋼球１６が一方の電極１４と他方の電極１５から離れているので光源１１にボタン電池１３、１３の電気が流れない。
蓋体２０が開けられ角度センサ−５が鋼球１６が移動可能な所定の角度になると、図６、図７のように角度センサ−５のケ−ス５ａ内の鋼球１６が一方の電極１４と他方の電極１５の方向に転がって移動して接触して光源１１にボタン電池１３、１３の電気が流れ、光源１１が点灯する。
角度センサ−付ライト１が取り付けられる対象物が金属の場合、吸盤部４ｂを使用する以外にマグネット１８を使用して取り付けてもよい。
図４において、ク−ラ−ボックスの蓋体２０の内側面に取り付けた状態でケ−ス５ａ内の鋼球１６は電極１４、電極１５から離れて位置するが、図６のように蓋体２０を開いて角度センサ−５の角度が変わりケ−ス５ａ内の鋼球１６が移動して電極１４、電極１５に接することで蓋体２０を閉じた時に光源１１が点灯せず、蓋体２０を開いた時に点灯する。
【００１５】
前記のように角度センサ−付ライト１が構成されると、自動車の扉やク−ラ−ボックス等の開閉する蓋体等に角度センサ−付ライト１を止着具４で着脱可能で、角度センサ−付ライト１を傾けると角度センサ−５で自動的に点灯すると共に消灯状態を維持することも可能で、釣り場で夜間餌付けなどの作業が容易になる。
【産業上の利用可能性】
【００１６】
本発明は角度センサ−付ライト全般に利用できる。
【図面の簡単な説明】
【００１７】
【図１】角度センサ−付ライトの断面側面図である。
【図２】角度センサ−付ライトの光源透過部をライト本体から前進させて電気回路を遮断した断面側面図である。
【図３】ライト本体から光源透過部を分離した断面側面図である。
【図４】保冷箱の開閉する蓋体に角度センサ−付ライトを取り付けて蓋体を閉じた保冷箱の断面側面図である。
【図５】図４の状態の角度センサ−付ライトの拡大断面側面図である。
【図６】保冷箱の開閉する蓋体に角度センサ−付ライトを取り付けて蓋体を開いた保冷箱の断面側面図である。
【図７】図６の状態の角度センサ−付ライトの拡大断面側面図である。
【符号の説明】
【００１８】
１  角度センサ−付ライト
２  ライト本体
４  止着具
５  角度センサ−
１１  光源
２０  蓋体
【図１】
2009238432.tif 000003
【図２】
2009238432.tif 000004
【図３】
2009238432.tif 000005
【図４】
2009238432.tif 000006
【図５】
2009238432.tif 000007
【図６】
2009238432.tif 000008
【図７】
2009238432.tif 000009